(57)【要約】【課題】モノクロモードのとき、ブラック用作像部以外の感光体ドラムと中間転写ベルトとを離間させるタンデム型の画像形成装置において、感光体ドラムと中間転写ベルトとを離間させたことによって生じる、画像形成時の中間転写ベルトの振動を抑えて、ピッチムラのない高画質の画像が得られるようにする。【解決手段】モノクロモードのとき、イエロー用作像部２Ｙ、マゼンタ用作像部２Ｍ、シアン用作像部２Ｃの各一次転写ローラ３０Ｙ，３０Ｍ，３０Ｃを、感光体ドラム２１Ｙ，２１Ｍ，２１Ｃから離間させるとともに、押圧ローラ６Ｙ，６Ｍ，６Ｃを中間転写ベルト１１に接触させ、中間転写ベルト１１の振動を抑制する。【選択図】図４
2009271163.tif 000002
【特許請求の範囲】
【請求項１】
静電潜像担持体と、静電潜像担持体上に形成された潜像をトナーで可視像化する現像手段とを備え、異なる色のトナー画像を形成する複数の作像部と、
前記各静電潜像担持体の表面に接触又は離間しながら回転する中間転写体と、
前記中間転写体を挟んで前記各静電潜像担持体と対向する位置に配置され、前記各静電潜像担持体の表面に形成されたトナー画像を前記中間転写体に転写させる一次転写手段とを有し、前記複数の作像部の１つが、ブラック色を現像するブラック用作像部である画像形成装置において、
少なくともブラック用作像部以外の静電潜像担持体と前記中間転写体とは接触位置と離間位置とに相対的に移動可能であり、
前記各静電潜像担持体と前記中間転写体とを接触させて、カラー画像を形成するフルカラーモードと、ブラック用作像部の静電潜像担持体のみを前記中間転写体に接触させ、その他の作像部の静電潜像担持体は前記中間転写体から離間させて、白黒画像を形成するモノクロモードとに切り替え可能であって、
ブラック用作像部よりも中間転写体回転方向上流側に、静電潜像担持体と中間転写体とが離間位置のときは少なくとも、前記中間転写体の外周面に接触する押圧部材を設け、前記中間転写体の回転する際の振動を抑制することを特徴とする画像形成装置。
【請求項２】
前記押圧部材が円柱形状であって、前記中間転写体の回転によって従動回転する請求項１記載の画像形成装置。
【請求項３】
前記押圧部材は、その幅が前記中間転写体の幅の半分よりも狭く、幅方向に所定間隔で複数個が同一軸上に設けられている請求項１又は２記載の画像形成装置。
【請求項４】
前記押圧部材が、前記中間転写体の回転方向の異なる位置に設けられた複数の軸に、複数個設けられている請求項１〜３のいずれかに記載の画像形成装置。
【請求項５】
前記複数の軸に設けられた複数個の押圧部材が、幅方向に重ならないように設けられている請求項４記載の画像形成装置。
【請求項６】
前記押圧部材の、前記中間転写体との接触位置が、非画像形成領域であり、前記押圧部材は、前記静電潜像担持体と前記中間転写体とが接触位置のときも前記中間転写体に接触する請求項１〜３のいずれかに記載の画像形成装置。
【請求項７】
ブラック用作像部が、中間転写体回転方向最下流に配置されている請求項１〜６のいずれかに記載の画像形成装置。
【発明の詳細な説明】
【技術分野】
【０００１】
本発明は画像形成装置に関し、より詳細には、異なる色のトナー画像を形成する複数の作像部を中間転写体に沿って配置した、いわゆるタンデム型のカラー画像形成装置に関するものである。
【背景技術】
【０００２】
近年、画像形成装置においてフルカラー画像出力の高速化が求められ、シアン、マゼンタ、イエロー、ブラックの各色のトナーを収容した各作像部を中間転写ベルトに沿って並べて配置した、いわゆるタンデム型の画像形成装置が広く使用されつつある。
【０００３】
この種の画像形成装置では、中間転写ベルトは一次転写ローラによって各作像部の感光体ドラムに圧接されている。一方、中間転写ベルトには二次転写ローラが圧接していて、中間転写ベルトと二次転写ローラの間に、記録媒体である用紙が供給されるようになっている。各作像部によってそれぞれ形成される、異なる色のトナー画像が中間転写ベルト上に一次転写されて重ね合わされ、次にこの重ね合わされたトナー画像が用紙に二次転写される。そして、トナー画像が転写された用紙が定着ユニットを通過する際に、トナー画像は加熱・加圧されて用紙に溶融定着し、用紙は排紙トレイ上に排出される。
【０００４】
このような機構の画像形成装置において、感光体ドラムや中間転写ベルトの寿命を延ばすために、白黒画像形成時に、ブラック用作像部以外の作像部の感光体ドラムを中間転写ベルトから離間させる装置が提案され、既に製品化もなされている。
【０００５】
ところが、ブラック用作像部以外の作像部の感光体ドラムを中間転写ベルトから離間させると、中間転写ベルトに撓みや振動が生じやすくなり、画像上に一定周期の濃度ムラが生じる、いわゆるピッチムラ等の不具合が発生することがある。
【０００６】
そこで、感光体ドラムと中間転写ベルトとの離接技術が種々提案されている。例えば、特許文献１では、一次転写ローラのニップを安定させるバックアップローラの軸を回転軸として、一次転写ローラを感光体ドラムに対して離接させる技術が提案されている。また、特許文献２では、すべての感光体ドラムに中間転写ベルトが一度に当接しないようにする離接技術が提案されている。
【特許文献１】特開2005-62642号公報
【特許文献２】特開2007-79571号公報
【発明の開示】
【発明が解決しようとする課題】
【０００７】
しかしながら、前者の提案技術は、転写ローラ側に配置されたバックアップローラだけが中間転写ベルトに当接する構成としているため、中間転写ベルトの振動を抑制する効果が低い。また、後者の提案技術は、一次転写ローラの中間転写ベルトとの当接の際に生じる振動を抑えることを目的とするものであって、画像形成時における中間転写ベルトの振動の抑制を目的とするものではない。
【０００８】
本発明は、このような従来の問題に鑑みてなされたものであり、その目的とするところは、いわゆるタンデム型の画像形成装置において、モノクロモードのとき、ブラック用作像部以外の感光体ドラムと中間転写ベルトとを離間させて、感光体ドラムの寿命を延ばすと同時に、感光体ドラムと中間転写ベルトとを離間させたことによって生じる、画像形成時の中間転写ベルトの振動を抑えて、ピッチムラのない高画質の画像が得られるようにすることにある。
【課題を解決するための手段】
【０００９】
本発明によれば、静電潜像担持体と、静電潜像担持体上に形成された潜像をトナーで可視像化する現像手段とを備え、異なる色のトナー画像を形成する複数の作像部と、前記各静電潜像担持体の表面に接触又は離間しながら回転する中間転写体と、前記中間転写体を挟んで前記各静電潜像担持体と対向する位置に配置され、前記各静電潜像担持体の表面に形成されたトナー画像を前記中間転写体に転写させる一次転写手段とを有し、前記複数の作像部の１つが、ブラック色を現像するブラック用作像部である画像形成装置において、少なくともブラック用作像部以外の静電潜像担持体と前記中間転写体とは接触位置と離間位置とに相対的に移動可能であり、前記各静電潜像担持体と前記中間転写体とを接触させて、カラー画像を形成するフルカラーモードと、ブラック用作像部の静電潜像担持体のみを前記中間転写体に接触させ、その他の作像部の静電潜像担持体は前記中間転写体から離間させて、白黒画像を形成するモノクロモードとに切り替え可能であって、ブラック用作像部よりも中間転写体回転方向上流側に、静電潜像担持体と中間転写体とが離間位置のときは少なくとも、前記中間転写体の外周面に接触する押圧部材を設け、前記中間転写体の回転する際の振動を抑制することを特徴とする画像形成装置が提供される。
【００１０】
ここで、前記中間転写体の長寿命化等を図る観点から、前記押圧部材を円柱形状とし、前記中間転写体の回転によって従動回転するようにしてもよい。
【００１１】
また、前記押圧部材を、その幅が前記中間転写体の幅の半分よりも狭くし、幅方向に所定間隔で複数個を同一軸上に設けるようにしてもよい。
【００１２】
あるいはまた、前記押圧部材を、前記中間転写体の回転方向に所定間隔で複数個設けるようにしてもよい。この場合、前記中間転写体の回転方向の異なる位置に設けた押圧部材は、幅方向の異なる位置に設けるのが好ましい。
【００１３】
前記押圧部材の、前記中間転写体との接触位置を非画像形成領域とし、前記押圧部材を、前記静電潜像担持体と前記中間転写体とが接触位置のときも前記中間転写体に接触させるようにしてもよい。
【００１４】
また、画像信号が入力されてから画像が出力されるまでの時間を短縮する観点などから、ブラック用作像部は、中間転写体回転方向最下流に配置するのが好ましい。
【発明の効果】
【００１５】
本発明の画像形成装置では、モノクロモードのときに、押圧部材を中間転写体に接触させて中間転写体の振動を抑えるので、ピッチムラのない高画質の画像が得られる。
【発明を実施するための最良の形態】
【００１６】
以下、本発明を実施例によりさらに詳しく説明するが、本発明はこれらの例に何ら限定されるものではない。
【００１７】
図１は、本発明に係る画像形成装置の一例を示す概説図である。図１の画像形成装置は、タンデム型デジタルカラープリンタ（以下、単に「プリンタ」と記すことがある）である。もちろん、プリンタのほか、さらにスキャナを有する複写機、ファクシミリ又はそれらの機能を複合的に備えた複合機等にも本発明を適用することができる。
【００１８】
まず、プリンタ１の概略構成を説明する。プリンタ１は、その内部のほぼ中央部に中間転写ベルト（中間転写体）１１を備えている。中間転写ベルト１１は、ローラ１２，テンションローラ１３，ガイドローラ１４，１５の外周部に掛け渡されて反時計回りに回転駆動する。テンションローラ１３は、外側へスライド可能に取り付けられていると共に、押しバネＳによって中間転写ベルト１１の内側から外側に向かって付勢されている。これにより、中間転写ベルト１１は、常に張力がかかった状態となっている。
【００１９】
中間転写ベルト１１の下部水平部の下には、イエロー（Ｙ）、マゼンタ（Ｍ）、シアン（Ｃ）、ブラック（Ｂ）の各色にそれぞれ対応する４つの作像部２Ｙ，２Ｍ，２Ｃ，２Ｂが、中間転写ベルト１１に沿ってこの順に並んで配置されている。各作像部２Ｙ，２Ｍ，２Ｃ，２Ｂは、感光体ドラム（静電潜像担持体）２１Ｙ，２１Ｍ，２１Ｃ，２１Ｂをそれぞれ有している。各感光体ドラム２１Ｙ，２１Ｍ，２１Ｃ，２１Ｂの周囲には、その回転方向に沿って順に、帯電器２２Ｙ，２２Ｍ，２２Ｃ，２２Ｂと、プリントヘッド部２３Ｙ，２３Ｍ，２３Ｃ，２３Ｂと、現像器（現像手段）２４Ｙ，２４Ｍ，２４Ｃ，２４Ｂと、クリーナ（クリーニング手段）２５Ｙ，２５Ｍ，２５Ｃ，２５Ｂとがそれぞれ配置されている。プリントヘッド部２３Ｙ，２３Ｍ，２３Ｃ，２３Ｂは、感光体ドラムの軸方向と平行な主走査方向に並べられた多数のＬＥＤから構成されている。
【００２０】
そして、中間転写ベルト１１を挟んで、各感光体ドラム２１Ｙ，２１Ｍ，２１Ｃ，２１Ｂと対向する位置には、一次転写ローラ（一次転写手段）３０Ｙ，３０Ｍ，３０Ｃ，３０Ｂが設けられている。また、中間転写ベルト１１のローラ１２で支持された部分には、二次転写ローラ１６が圧接されている。二次転写ローラ１６と中間転写ベルト１１とのニップ部が二次転写領域１７となる。この二次転写領域１７において中間転写ベルト１１上に形成されたトナー画像が、搬送されてきた用紙Ｐに転写される。
【００２１】
プリンタ１に下部には、給紙カセット９１が着脱可能に配置されている。給紙カセット９１内に積載収容された用紙Ｐは、給紙ローラ９２の回転によって最上部のものから１枚ずつ引き出されて搬送路９３に送り出される。搬送路９３は、給紙カセット９１から、タイミングローラ対９４のニップ部、二次転写領域１７、および定着ユニット９５を通って排紙トレイ９８まで延びている。給紙カセット９１から送り出された用紙Ｐは、タイミングローラ対９４に搬送され、ここで所定のタイミングで二次転写領域１７に送り出される。
【００２２】
定着ユニット９５は、中空円筒状で、ハロゲンヒータＨを内部に備えた定着ローラ９６と、この定着ローラ９６に圧接されて従動回転する加圧ローラ９７を備える。トナー画像が二次転写された用紙Ｐが通過する、定着ローラ９６と加圧ローラ９７とのニップ部が、定着領域となる。
【００２３】
このような構成のプリンタ１の概略動作について説明する。まず、カラー画像を出力するフルカラーモードの場合、外部装置（例えばパソコン）からプリンタ１の画像信号処理部（不図示）に画像信号が入力されると、画像信号処理部ではこの画像信号をイエロー、シアン、マゼンタ、ブラックに色変換したデジタル画像信号を作成し、この信号をプリントヘッド用ＬＥＤドライブ回路に伝達する。このドライブ回路は、入力されたデジタル信号に基づいて、各作像部２Ｙ，２Ｍ，２Ｃ，２Ｂのプリントヘッド部２３Ｙ，２３Ｍ，２３Ｃ，２３Ｂを発光させて露光を行う。この露光は、プリントヘッド部２３Ｙ，２３Ｍ，２３Ｃ，２３Ｂの順にそれぞれ時間差をもって行われる。これにより、各感光体ドラム２１Ｙ，２１Ｍ，２１Ｃ，２１Ｂの表面に各色用の静電潜像がそれぞれ形成される。
【００２４】
各感光体ドラム２１Ｙ，２１Ｍ，２１Ｃ，２１Ｂ上に形成された静電潜像は、各現像器２４Ｙ，２４Ｍ，２４Ｃ，２４Ｂによってそれぞれ現像されて各色のトナー画像となる。そして、各色のトナー画像は、各一次転写ローラ３０Ｙ，３０Ｍ，３０Ｃ，３０Ｂの作用により、図中反時計回りに回転する中間転写ベルト１１上に順次一次転写されて重ね合わせられる。
【００２５】
このようにして中間転写ベルト１１上に形成されたトナー画像は、中間転写ベルト１１の移動にしたがって二次転写領域１７に達する。この二次転写領域１７において、重ね合わされた各色トナー画像は、二次転写ローラ１６の作用により、給紙カセット９１から搬送路９３に送り出されてタイミングローラ対９４により供給された用紙Ｐに、一括して二次転写される。なお、二次転写後に中間転写ベルト１１上に残留するトナーは、不図示のベルトクリーナにより回収される。
【００２６】
トナー画像が二次転写された用紙Ｐは、搬送路９３を通って定着ユニット９５に送られ、そこで定着領域を通過することによりトナー画像が用紙Ｐに定着される。そして、用紙Ｐは排紙トレイ９８に排出される。
【００２７】
図２（ａ）に示すように、本発明の画像形成装置では、上記のフルカラーモードの場合は、すべての感光体ドラム２１Ｙ，２１Ｍ，２１Ｃ，２１Ｂと一次転写ローラ３０Ｙ，３０Ｍ，３０Ｃ，３０Ｂとが中間転写ベルト１１を挟んで圧接する。また、押圧ローラ（押圧部材）６Ｙ，６Ｍ，６Ｃ（以下、「押圧ローラ６」と総称することがある）も押しバネ６２の付勢力によって中間転写ベルト１１に接触する。
【００２８】
まず、感光体ドラム２１Ｙ，２１Ｍ，２１Ｃと一次転写ローラ３０Ｙ，３０Ｍ，３０Ｃとの離接機構例について説明するが、離接機構はこれに限定されるものではなく、従来公知の機構をここでも採用することができる。
【００２９】
図２に示すように、中間転写ベルト１１の内側には、一次転写ローラ３０Ｙ，３０Ｍ，３０Ｃ（以下、「一次転写ローラ３０」と総称することがある）が配設されている。一次転写ローラ３０は、支持体３１に回転可能に軸支されている。支持体３１は、枠体３３内に摺動可能に嵌め入れられ、枠体３３と支持体３１との間にはバネ３４が介装されている。これにより、一次転写ローラ３０は、感光体ドラム２１Ｙ，２１Ｍ，２１Ｃ（以下、「感光体ドラム２１」と総称することがある）の方向に付勢され、中間転写ベルト１１を挟んで感光体ドラム２１に圧接する。また、支持体３１の側面には突起３２が形成されており、この突起３２の下面に、軸３６を中心として回動する略Ｌ字状の各レバー３５Ｙ，３５Ｍ，３５Ｃ，３５Ｂの一方端が当接している。
【００３０】
一次転写ローラ３０Ｙ，３０Ｍの間にはカム軸４０が取り付けられ、カム軸４０の両端近傍には一対のカム４１が固着されている。なお、図２では、カム４１の回転位置をわかりやすくするため、カム４１の外縁部に黒点を印してある。
【００３１】
カム軸４０の両側には、一対のスライド板５１がスライド自在に取り付けられている。また、カム軸４０の一方端部にはギヤ（不図示）が固着されている。このギヤは、装置本体側の図示しない駆動ギヤと噛合して回転駆動されるようになっている。図２から理解されるように、スライド板５１には、各レバー３５Ｙ，３５Ｍ，３５Ｃの上端が当接する突片５１３，５１４，５１５と、カム４１が当接する突片５１１と、カム４１の一端が突出可能な開口部５１２が形成されている。
【００３２】
このような構成において、フルカラーモードの場合、各一次転写ローラ３０Ｙ，３０Ｍ，３０Ｃは、図２（ａ）に示すように、バネ３４の付勢力により中間転写ベルト１１を介して感光体ドラム２１Ｙ，２１Ｍ，２１Ｃに圧接する。これによって、フルカラーモードの場合には、各作像部の感光体ドラム２１から中間転写ベルト１１への転写が可能となってフルカラー画像が形成される。
【００３３】
次に、モノクロモードの場合、図２（ｂ）に示すように、不図示の駆動手段によってカム軸４０が時計回りに９０°回転し、カム４１の、スライド板５１の突片５１１との接触部が短径部から長径部になる。これによって、スライド板５１は図２における右方向に移動する。すると、スライド板５１の突片５１３，５１４，５１５によってレバー３５Ｙ，３５Ｍ，３５Ｃの端部が押圧され、レバー３５Ｙ，３５Ｍ，３５Ｃは軸３６を中心として時計回りに回動し、レバー３５Ｙ，３５Ｍ，３５Ｃのもう一方の端部が、突起３２を介して支持体３１をバネ３４の付勢力に抗して上方に押し上げる。これにより、イエロー用作像部２Ｙ、マゼンタ用作像部２Ｍ、シアン用作像部２Ｃの各一次転写ローラ３０Ｙ，３０Ｍ，３０Ｃは感光体ドラム２１Ｙ，２１Ｍ，２１Ｃから離間する。また、中間転写ベルト１１は、テンションローラ１３（図１に図示）によって常に張力がかかっているので、一次転写ローラ３０Ｙ，３０Ｍ，３０Ｃと共に感光体ドラム２１Ｙ，２１Ｍ，２１Ｃから離隔する。一方、ブラック用作像部２Ｂの一次転写ローラ３０Ｂは、感光体ドラム２１Ｂに圧接した状態を維持する。これにより、モノクロモードの場合には、ブラック用作像部２Ｂの感光体ドラム２１Ｂから中間転写ベルト１１への転写のみが可能となり、白黒画像が形成される。
【００３４】
一方、押圧ローラ６Ｙ，６Ｍ，６Ｃは、軸６３Ｙ，６３Ｍ，６３Ｃに回転自在に支持され、軸６３Ｙ，６３Ｍ，６３Ｃは、感光体ドラム２２Ｙ，２２Ｍ，２２Ｃと同一軸の両端に揺動可能に取り付けられた保持部材６１に取り付けられている。そして保持部材６１は、押しバネ６２によって、図中反時計回りに常に付勢されている。これによって、押圧ローラ６Ｙ，６Ｍ，６Ｃは、フルカラーモードのときは、図２（ａ）に示すように、中間転写ベルト１１の外周面に接触する。また、モノクロモードのときも、同図（ｂ）に示すように、中間転写ベルト１１が一次転写ローラ３０と共に感光体ドラム２１から離間すると、押圧ローラ６Ｙ，６Ｍ，６Ｃは、押しバネ６２の付勢力によって図中反時計回りに回転して中間転写ベルト１１の外周面に接触する。これによって、モノクロモードのときの中間転写ベルト１１の回転中の振動が効果的に抑制される。
【００３５】
ただし、押圧ローラ６Ｙ，６Ｍ，６Ｃの、中間転写ベルト１１との接触位置が画像形成領域であると、フルカラーモードの際に、回転方向上流側の作像部で中間転写ベルト１１に転写されたトナー画像が、押圧ローラ６Ｙ，６Ｍ，６Ｃによって乱されるので、図３に示すように、押圧ローラ６Ｙ，６Ｍ，６Ｃの、中間転写ベルト１１との接触位置は、非画像形成領域とする必要がある。
【００３６】
押圧ローラ６の、中間転写ベルト１１に対する押圧力としては、中間転写ベルト１１の材質や長さ等から適宜決定すればよいが、通常は、０．１Ｎ程度で足りる。なお、この実施形態では、ブラック用作像部２Ｂよりも中間転写ベルト１１の回転方向上流側の３つの作像部すべてにおいて、押圧ローラ６を中間転写ベルト１１に接触させているが、ブラック用作像部２Ｂよりも中間転写ベルト１１の回転方向上流側の少なくとも一つの作像部において押圧ローラ６を中間転写ベルト１１に接触させればよい。この場合、ブラック用作像部２Ｂに隣設する作像部（図２の装置ではシアン用作像部２Ｃ）に押圧ローラ６を設けて、中間転写ベルト１１に接触させるのが望ましい。
【００３７】
次に、本発明に係る画像形成装置の他の実施形態について説明する。図４に、その概説図を示す。この図の装置では、感光体ドラム２１Ｙ，２１Ｍ，２１Ｃと一次転写ローラ３０Ｙ，３０Ｍ，３０Ｃとの離接に合わせて、押圧ローラ６Ｙ，６Ｍ，６Ｃが、中間転写ベルト１１に対して離接する。すなわち、感光体ドラム２１Ｙ，２１Ｍ，２１Ｃと一次転写ローラ３０Ｙ，３０Ｍ，３０Ｃとが、中間転写ベルト１１を介して圧接しているときは、押圧ローラ６Ｙ，６Ｍ，６Ｃは、中間転写ベルト１１から離間し、感光体ドラム２１Ｙ，２１Ｍ，２１Ｃと一次転写ローラ３０Ｙ，３０Ｍ，３０Ｃとが離間したときは、押圧ローラ６Ｙ，６Ｍ，６Ｃは中間転写ベルト１１に接触する。このように、押圧ローラ６Ｙ，６Ｍ，６Ｃを中間転写ベルト１１に対して離接可能とすることによって、押圧ローラ６Ｙ，６Ｍ，６Ｃを、中間転写ベルト１１の画像形成領域にも接触させることができるようになり、モノクロモード時の中間転写ベルト１１の回転中の振動を一層を効果的に抑えられるようになる。
【００３８】
一次転写ローラ３０と感光体ドラム２１との離接機構は、前述と同じ機構であるため、ここではその説明を略し、押圧ローラ６の離接機構について以下説明する。
【００３９】
図４に示す装置では、感光体ドラム２１Ｙ、２１Ｍの間に、両側のフレーム（不図示）間にカム軸４３が取り付けられ、カム軸４０の両端近傍には一対のカム４２が固着されている。なお、カム４２の回転位置をわかりやすくするため、前記と同様に、カム４２の外縁部に黒点を印してある。
【００４０】
両側のフレーム（不図示）の外側には、スライド板５２がスライド自在に取り付けられている。また、カム軸４３の一方端部にはギヤ（不図示）が固着されており、このギヤ（不図示）は、装置本体側の図示しない駆動ギヤと噛合して回転駆動されるようになっている。図４から理解されるように、スライド板５２には、カム４２が当接する突片５２１と、カム４２の一端が突出可能な開口部５２２と、押圧ローラを支持する軸の両端が当接する突片５２３，５２４，５２５とが形成されている。また、押圧ローラを支持する各軸は、押しバネによって支持部材を介して図中反時計回りの方向にそれぞれ付勢されている。
【００４１】
このような構成において、図４（ａ）に示すように、フルカラーモードの場合、各一次転写ローラ３０Ｙ，３０Ｍ，３０Ｃは、バネ３４の付勢力により中間転写ベルト１１を介して感光体ドラム２１Ｙ，２１Ｍ，２１Ｃに圧接する。また、カム４２の長径部がスライド板５２の突片５２１に当接し、各押圧ローラ６Ｙ，６Ｍ，６Ｃを支持する軸６３Ｙ，６３Ｍ，６３Ｃは、スライド板５２の突片５２３，５２４，５２５によって、押しバネ６２の付勢力に抗して、押圧ローラ６Ｙ，６Ｍ，６Ｃを離隔位置に保持する。
【００４２】
次に、図４（ｂ）に示すように、モノクロモードの場合、各一次転写ローラ３０Ｙ，３０Ｍ，３０Ｃは、前述の離接機構によって感光体ドラム２１Ｙ，２１Ｍ，２１Ｃ及び中間転写ベルト１１は離間する。また、押圧部材の離接機構では、不図示の駆動手段によってカム軸４３が時計回りに９０°回転し、カム４２の、スライド板５２の突片５２１との接触部が長径部から短径部になる。これによって、スライド板５２は図の左方向にスライド可能となり、イエロー用作像部２Ｙ、マゼンタ用作像部２Ｍ、シアン用作像部２Ｃの各軸６３Ｙ，６３Ｍ，６３Ｃは、押しバネ６２の付勢力によって図中反時計回りに回転すると同時に、各軸６３Ｙ，６３Ｍ，６３Ｃによってスライド部材５２の突片５２３，５２４，５２５が左方向へ押圧され、スライド板５２は図の左方向に移動する。これにより、押圧ローラ６Ｙ，６Ｍ，６Ｃは中間転写ベルト１１に接触して、中間転写ベルト１１の振動を抑制する。一方、ブラック用作像部２Ｂは感光体ドラム２１Ｂと一次転写ローラ３０Ｂとは中間転写ベルト１１を挟んで圧接状態を維持し、ブラック用作像部２Ｂの感光体ドラム２１Ｂから中間転写ベルト１１への転写のみが可能となり、白黒画像が形成される。
【００４３】
このように図４に示す実施形態の場合には、押圧ローラ６Ｙ，６Ｍ，６Ｃが中間転写ベルト１１に対して離接するので、中間転写ベルト１１の画像形成領域にも押圧ローラ６Ｙ，６Ｍ，６Ｃを接触させることができるようになり、押圧ローラ６Ｙ，６Ｍ，６Ｃとして種々の形態を用いることができるようになる。図５に、押圧ローラ６Ｙ，６Ｍ，６Ｃの具体的な実施形態例を示す。同図の実施形態では、中間転写ベルト１１の回転方向に所定間隔で３本の軸６３Ｙ，６３Ｍ，６３Ｃが平行に設けられ、これらの各軸には、中間転写ベルト１１の画像形成領域のすべてにわたって接触する幅の円柱形状の押圧ローラ６Ｙ，６Ｍ，６Ｃが回転自在に設けられている。この押圧ローラ６Ｙ，６Ｍ，６Ｃは、中間転写ベルト１１と接触すると、中間転写ベルト１１の回転によって従動回転する。各押圧ローラ６Ｙ，６Ｍ，６Ｃは、中間転写ベルト１１の幅方向略全域にわたって接触するので、中間転写ベルト１１の回転に伴う振動を効果的に抑制することができる。一方、幅方向に長い押圧ローラ６Ｙ，６Ｍ，６Ｃは、高い円筒度精度が得られにくく、製造しにくいという問題がある。
【００４４】
そこで、図６に示す実施形態では、幅の狭い押圧ローラを用いて中間転写ベルト１１の振動を抑制している。すなわち、中間転写ベルト１１の回転方向に所定間隔で３本の軸６３Ｙ，６３Ｍ，６３Ｃが平行に設けられ、各軸にはそれぞれ、幅の狭い３個の押圧ローラ６Ｙ，６Ｍ，６Ｃが幅方向に所定間隔で取り付けられている。また、各軸６３Ｙ，６３Ｍ，６３Ｃに取り付けられた各押圧ローラ６Ｙ，６Ｍ，６Ｃは、幅方向の異なる位置に、中間転写ベルト１１との接触領域が重ならないように取り付けられている。これによって、中間転写ベルト１１の幅方向の各部分が複数の押圧ローラに接触することが回避され、中間転写ベルト１１の押圧ローラとの接触による傷みが抑えられるようになる。
【００４５】
図５及び図６に示した押圧ローラ６Ｙ，６Ｍ，６Ｃの実施形態では、いずれも３本の軸６３Ｙ，６３Ｍ，６３Ｃを設けていたが、押圧ローラを回転自在に支持する軸はこれに限定されるものではなく、１本であってもよいし、２本以上の所定の数であってもよい。また、１本の軸に取り付ける押圧ローラの数に限定はなく、押圧ローラの幅及び中間転写ベルト１１の幅などから適宜決定すればよい。
【００４６】
また、以上説明した実施形態では、押圧部材６として、中間転写ベルト１１の回転とともに従動回転する押圧ローラを例示したが、中間転写ベルト１１に接触して、その振動を抑制するものであれば特に限定はなく、例えば、低摩擦材料からなる摺接部材であっても構わない。ただ、中間転写ベルトの摩耗を考えると、押圧部材としては回転体が望ましい。
【００４７】
以上、説明した実施形態では、ブラック用作像部２Ｂを中間転写ベルト１１の回転方向最下流に設けていたが、これに限定されるものではなく、当該回転方向最上流以外の位置であればいずれの位置であってもよい。ただし、白黒画像の出力時間を速くする観点からは、実施形態で示した当該回転方向最下流の設置位置が望ましい。また、ブラック用作像部２Ｂについても、感光体ドラム２１Ｂと中間転写ベルト１１とを離接可能としても構わない。
【００４８】
また、各作像部は、感光体ドラム２１、帯電器２２、プリントヘッド部２３、現像器２４、クリーナ２５、シャッタ部材６を一体としてユニット化してもよい。あるいは、これらを構成部材を一体化せず、個別に設けてももちろん構わない。また、任意の組み合わせ、例えば感光体ドラム２１と現像器２４とを組み合わせて一つのユニットとしたり、帯電来２２とクリーナ２５とを組み合わせて一つのユニットとしても構わない。そしてまた、感光体ドラム２１と中間転写ベルト１１との離接は、前記実地形態のように、一次転写ローラ３０を移動させることによって中間転写ベルト１１を移動させる形態の他、感光体ドラム２１を移動させる、あるいは感光体ドラム２１と中間転写ベルト１１の双方を移動させるようにしても構わない。
【図面の簡単な説明】
【００４９】
【図１】本発明に係るプリンタ（画像形成装置）の一例を示す概説図である。
【図２】一次転写ローラと感光体ドラムとの離接機構及び押圧ローラと中間転写ベルトとの接触機構例を示す図である。
【図３】図２の装置における、押圧ローラの、中間転写ベルトとの接触位置を示す図である。
【図４】押圧ローラと中間転写ベルトとの離接機構例を示す図である。
【図５】図４の装置における、押圧ローラの形態及び中間転写ベルトとの接触位置を示す図である。
【図６】図４の装置における、押圧ローラの他の形態及び中間転写ベルトとの接触位置を示す図である。
【符号の説明】
【００５０】
１    プリンタ（画像形成装置）
２，２Ｙ，２Ｍ，２Ｃ，２Ｂ    作像部
６，６Ｙ，６Ｍ，６Ｃ，６Ｂ    押圧部材（押圧ローラ）
１１    中間転写ベルト（中間転写体）
２１，２１Ｙ，２１Ｍ，２１Ｃ    感光体ドラム（静電潜像担持体）
２４Ｙ，２４Ｍ，２４Ｃ，２４Ｂ    現像器（現像手段）
３０，３０Ｙ，３０Ｍ，３０Ｃ，３０Ｂ    一次転写ローラ（一次転写手段）
【図１】
2009271163.tif 000003
【図２】
2009271163.tif 000004
【図３】
2009271163.tif 000005
【図４】
2009271163.tif 000006
【図５】
2009271163.tif 000007
【図６】
2009271163.tif 000008